(57)【要約】【課題】  新たな手段や規格を設ける必要がなく、既存の製品に実装されている規格内で選択対象ノードを確認できる新たな機能を提供する。【解決手段】  DVTR１は、１３９４ケーブルに接続されるノード（PC１、DTV３）からユーザにより選択されたノード（PC１）とのコネクションを確立し、PC１との間で確立されたコネクションにより、PC１が選択されている旨を示す情報をPC１に対して伝送する。【選択図】  図１
2005354638.tif 000002
【特許請求の範囲】
【請求項１】
一又は複数のノードと通信ネットワークを介して接続される通信装置であって、
前記一又は複数のノードからユーザにより選択されたノードとのコネクションを確立し、前記ノードとの間で確立されたコネクションにより、前記ノードが選択されている旨を示す情報を前記ノードに対して伝送するよう制御する通信制御手段を有することを特徴とする通信装置。
【請求項２】
前記通信制御手段は、前記一又は複数のノードのうち前記ユーザにより選択されなかった他のノードで設定されている受信チャンネルを調べ、前記受信チャンネルとは異なるチャンネルを前記ノードとのコネクション確立に用いることを特徴とする請求項１に記載の通信装置。
【請求項３】
一又は複数のノードと通信ネットワークを介して接続される通信装置であって、
前記一又は複数のノードのうちユーザにより選択されたノードに対してのみ、前記ノードが選択されている旨を示す情報が表示できるように制御するとともに、前記ノードが選択されている旨を示す情報を前記一又は複数のノード全てに対して伝送するよう制御する通信制御手段を有することを特徴とする通信装置。
【請求項４】
前記通信制御手段は、前記一又は複数のノードのうち前記ノード以外の他のノードに対し、入力プラグのブロードキャストコネクションカウンタを所定の値に設定することにより、前記ノード上においてのみ前記ノードが選択されている旨の情報が表示できるように制御することを特徴とする請求項３に記載の通信装置。
【請求項５】
一又は複数のノードと通信ネットワークを介して接続される通信装置であって、
前記一又は複数のノードからユーザにより選択されたノードとのコネクションを確立し、前記ノードとの間で確立されたコネクションにより、前記ノードが選択されている旨を示す情報を前記ノードに対して伝送する第１の制御モードと、前記一又は複数のノードのうちユーザにより選択された前記ノードに対してのみ、前記ノードが選択されている旨を示す情報が表示できるように制御するとともに、前記ノードが選択されている旨を前記一又は複数のノード全てに対して伝送する第２の制御モードとによる通信制御が可能な通信制御手段と、
前記第１の制御モード及び前記第２の制御モード間における通信制御の切り替えを制御する切替手段とを有することを特徴とする通信装置。
【請求項６】
前記切替手段は、ユーザにより選択された前記ノードの数と、前記一又は複数のノードのうち前記ユーザに選択されていない他のノードの数との割合に応じて、前記第１の制御モード及び前記第２の制御モード間における通信制御の切り替えを制御することを特徴とする請求項５に記載の通信装置。
【請求項７】
前記ノードが選択されている旨を示す情報は、アイソクロナス信号による映像情報であることを特徴とする請求項１乃至５の何れか１項に記載の通信装置。
【請求項８】
前記映像情報は、伝送先である前記ノードにおいて、前記ノードが選択されている旨の文字が表示される映像情報であることを特徴とする請求項７に記載の通信装置。
【請求項９】
一又は複数のノードと通信ネットワークを介して接続される通信装置の制御方法であって、
前記一又は複数のノードからユーザにより選択されたノードとのコネクションを確立し、前記ノードとの間で確立されたコネクションにより、前記ノードが選択されている旨を示す情報を前記ノードに対して伝送するよう制御することを特徴とする制御方法。
【請求項１０】
一又は複数のノードと通信ネットワークを介して接続される通信装置の制御方法であって、
前記一又は複数のノードのうちユーザにより選択されたノードに対してのみ、前記ノードが選択されている旨を示す情報が表示できるように制御するとともに、前記ノードが選択されている旨を示す情報を前記一又は複数のノード全てに対して伝送するよう制御することを特徴とする制御方法。
【請求項１１】
一又は複数のノードと通信ネットワークを介して接続される通信装置の制御方法であって、
前記一又は複数のノードからユーザにより選択されたノードとのコネクションを確立し、前記ノードとの間で確立されたコネクションにより、前記ノードが選択されている旨を示す情報を前記ノードに対して伝送する第１の制御モード、及び、前記一又は複数のノードのうちユーザにより選択された前記ノードに対してのみ、前記ノードが選択されている旨を示す情報が表示できるように制御するとともに、前記ノードが選択されている旨を前記一又は複数のノード全てに対して伝送する第２の制御モード間における通信制御の切り替えを制御することを特徴とする制御方法。
【請求項１２】
請求項９乃至１１の何れか１項に記載の制御方法をコンピュータに実行させるためのプログラム。
【請求項１３】
請求項１２に記載のプログラムを記録したコンピュータ読み取り可能な記録媒体。
【発明の詳細な説明】
【技術分野】
【０００１】
本発明は、一又は複数のノードと通信ネットワークを介して接続される通信装置、その制御方法、プログラム及び記録媒体に関するものである。
【背景技術】
【０００２】
現在、ＩＥＥＥ１３９４−１９９５、ＩＥＥＥ１３９４ａ−２０００等のＩＥＥＥ１３９４規格に準拠したシリアルバスを用いて複数の機器を接続し、これらの機器間で情報信号や制御信号などを通信するシステムが存在する。
【０００３】
ＩＥＥＥ１３９４規格に準拠したデジタルバスシステムでは、初期状態においては、バスに接続されている全てのデジタル機器の電源がオフになっている。したがって、ユーザは、まず、使用するデジタル機器の電源をオンにする。
【０００４】
前述のようにして使用するデジタル機器の電源がオンされるとバスにリセットがかかって、ＩＥＥＥ１３９４の規格に準拠したイニシャライズが行われ、これにより、バス上で電源が入っているデジタル機器のノードにＩＤがそれぞれ割り振られる。
【０００５】
以降は、特定の相手ノードとの間で制御情報やステータス情報等をやり取りする場合には、前記割り振られたＩＤをパケットの宛て先ＩＤに設定して行い、特定の相手ノードとの間で映像や音声のリアルタイムデータをやり取りする場合には、相手ノードとの間にpoint to pointコネクションを確立し、共通のチャンネルで行う。また、不特定多数のノードに情報を送信する場合には、ＩＥＥＥ１３９４規格のブロードキャストチャネルを用いて行うことができる。
【０００６】
【特許文献１】特開平１０−１６４１０６号公報
【発明の開示】
【発明が解決しようとする課題】
【０００７】
しかしながら、前述のようなシステムでは、アイコンA、Bがノード０、１、２のどれに相当しているかがユーザには簡単にわからず、実際に接続されたどのノードにファイル転送が行われたがわからないという欠点があった。この解決策として、特許文献１においては、接続先を選択した場合に接続先ノードに接続状態の表示を行うための情報を送信し、その情報を受信したノードが表示を行うという方法が開示されているが、これを実現するためには、表示を行うための専用のコマンドの実装とそのコマンドを受信した際に表示を実行する機能の実装という新たな規格と手段を設けなければならず、既存の製品に実装されている規格内では実現できないという欠点があった。
【０００８】
また、１３９４機器１台ごとに記憶されているユニークなIDを表示したり、機種名を表示したり、機種ごとにニックネームをつけて、それを表示したりする解決策があるが、これらの方式も、IDをユーザが覚えていなければ意味がなかったり、同じ機種名のノードが接続されている場合に判別できなかったり、ニックネームをやりとりする新たな規格を設けたりしなればならないという欠点があった。
【０００９】
本発明は、上記問題点に鑑みてなされたものであり、新たな手段や規格を設ける必要がなく、既存の製品に実装されている規格内で選択対象ノードを確認できる新たな機能を提供することを目的とする。
【課題を解決するための手段】
【００１０】
斯かる目的を達成するために、本発明に係る通信装置は、一又は複数のノードと通信ネットワークを介して接続される通信装置であって、前記一又は複数のノードからユーザにより選択されたノードとのコネクションを確立し、前記ノードとの間で確立されたコネクションにより、前記ノードが選択されている旨を示す情報を前記ノードに対して伝送するよう制御する通信制御手段を有することを特徴とする。
【００１１】
また、本発明に係る通信装置は、一又は複数のノードと通信ネットワークを介して接続される通信装置であって、前記一又は複数のノードのうちユーザにより選択されたノードに対してのみ、前記ノードが選択されている旨を示す情報が表示できるように制御するとともに、前記ノードが選択されている旨を示す情報を前記一又は複数のノード全てに対して伝送するよう制御する通信制御手段を有することを特徴とする。
【００１２】
また、本発明に係る通信装置は、一又は複数のノードと通信ネットワークを介して接続される通信装置であって、前記一又は複数のノードからユーザにより選択されたノードとのコネクションを確立し、前記ノードとの間で確立されたコネクションにより、前記ノードが選択されている旨を示す情報を前記ノードに対して伝送する第１の制御モードと、前記一又は複数のノードのうちユーザにより選択された前記ノードに対してのみ、前記ノードが選択されている旨を示す情報が表示できるように制御するとともに、前記ノードが選択されている旨を前記一又は複数のノード全てに対して伝送する第２の制御モードとによる通信制御が可能な通信制御手段と、前記第１の制御モード及び前記第２の制御モード間における通信制御の切り替えを制御する切替手段とを有することを特徴とする。
【００１３】
また、本発明に係る制御方法は、一又は複数のノードと通信ネットワークを介して接続される通信装置の制御方法であって、前記一又は複数のノードからユーザにより選択されたノードとのコネクションを確立し、前記ノードとの間で確立されたコネクションにより、前記ノードが選択されている旨を示す情報を前記ノードに対して伝送するよう制御することを特徴とする。
【００１４】
また、本発明に係る制御方法は、一又は複数のノードと通信ネットワークを介して接続される通信装置の制御方法であって、前記一又は複数のノードのうちユーザにより選択されたノードに対してのみ、前記ノードが選択されている旨を示す情報が表示できるように制御するとともに、前記ノードが選択されている旨を示す情報を前記一又は複数のノード全てに対して伝送するよう制御することを特徴とする。
【００１５】
また、本発明に係る制御方法は、一又は複数のノードと通信ネットワークを介して接続される通信装置の制御方法であって、前記一又は複数のノードからユーザにより選択されたノードとのコネクションを確立し、前記ノードとの間で確立されたコネクションにより、前記ノードが選択されている旨を示す情報を前記ノードに対して伝送する第１の制御モード、及び、前記一又は複数のノードのうちユーザにより選択された前記ノードに対してのみ、前記ノードが選択されている旨を示す情報が表示できるように制御するとともに、前記ノードが選択されている旨を前記一又は複数のノード全てに対して伝送する第２の制御モード間における通信制御の切り替えを制御することを特徴とする。
【００１６】
また、本発明に係るプログラムは、請求項９乃至１１の何れか１項に記載の制御方法をコンピュータに実行させることを特徴とする。さらに、本発明のコンピュータ読み取り可能な記録媒体は、前記プログラムを記録したことを特徴とする。
【発明の効果】
【００１７】
本発明によれば、ユーザにより選択されたノードとのコネクションを確立し、そのコネクションを用いて当該ノードが選択されている旨を示す情報を当該ノードに対して伝送するように構成したので、当該ノードが選択されている旨を当該ノードで表示させるために専用コマンドを発行する等、新たな手段や規格を設ける必要がなく、既存の製品に実装されている規格内で選択対象ノードを確認できる新たな機能を提供することができる。
【００１８】
また、本発明によれば、ユーザにより選択されているノード以外の他のノードにも当該ノードが選択されている旨の情報を伝送するが、当該ノードでのみ、その当該ノードが選択されている旨の情報が表示できるように構成したので、同じく当該ノードに対して上記専用コマンドを発行する等の新たな手段や規格を設ける必要なく、既存の製品に実装されている規格内で選択対象ノードを確認することが可能となる。
【発明を実施するための最良の形態】
【００１９】
以下、本発明を適用した好適な実施形態を、添付図面を参照しながら詳細に説明する。
＜第１の実施形態＞
表示パネルを持つ各ノード間で、他のノードとのやりとりをユーザが指定するようなコントローラ装置の場合を図１に示す。尚、該システムはＩＥＥＥ１３９４規格に準拠している。図１において、１はコントローラ機能を持つノード０のDVTR、２はノード１のPC、３はノード２のDTV、４は１３９４ケーブル、５はDVTR１に設けられた表示パネルである。また図２は表示パネル５の表示画面を示しており、A、Bは表示パネル５上に表示されたアイコンである。
【００２０】
図１のように、複数のノードにて構成されたシリアルバスシステムは、バスリセット後、該システムを構成する各ノードの接続形態に応じて自動的にノードＩＤ番号を割り付ける。例えば、図１の場合、DVTR１にはノード０、PC２にはノード１、DTV３にはノード２、とノードＩＤが割り付けられている。尚、各ノードのノードＩＤはＩＥＥＥ１３９４規格に準拠したノード割り付け手順に従って割り付けられる。
【００２１】
PC２にDVTR１の情報を転送したい場合を考える。ユーザはファイル転送先として、コントローラ１上の表示パネル２に示されている全ての相手ノードのアイコンからAを選択する。この選択方法はメニューでもかまわないし、表示パネル２がタッチパネルになっていて、触ることによって選択されてもよい。選択されたアイコンは色が変わって選択された表示になる。ここでは、アイコンAはノード１のPC２、アイコンBはノード２のDTV３が対応しているものとする。
【００２２】
このとき、コントローラであるDVTR１は自分と選択されたノード１のPC２との間にpoint to pointコネクションを確立する。このpoint to pointコネクションはＩＥＣ６１８８３−１規格に準拠した手続きで確立されるため、ここでの詳細な説明は省略するが、図４に簡単に説明する。
【００２３】
図４は図１に示される３つのノードの入力プラグコントロールレジスタiPCRと出力プラグコントロールレジスタiPCRである。またbccはブロードキャストコネクションカウンタ、pccはpoint to pointコネクションカウンタ、chはチャンネルである。
【００２４】
通常、各ノードはiPCRのbccが1に、pccが0、chが63になっておりブロードキャストの63チャンネルで送られてくるIsochronousデータを表示するようになっている。DVTR１がpoint to pointコネクションをPC２とはる場合、Isochronous Resouse Manager（IRM）から帯域とチャンネルXを取得し、自分のoPCRのpccとPC２のiPCRのpccを１つ増やして１に、PC２のoPCRのbccを０にする。そして自分のoPCRのchとPC２のiPCRのchをXにする。
【００２５】
上記のようにDVTR１の出力プラグとPC２の入力プラグをチャンネルXを介して接続することにより、Isochronous転送をこの２つのノード間で行うことができ、選択されているノード１のPC上にはIsochronousデータが表示され、他のノード、ここではノード２であるDTV３にはIsochronousデータが表示されないことになる。
【００２６】
図３に送信されるIsochronousデータの映像を示す。Isochronousデータは映像ではあるが、図３のように文字を映像として送信することにより、ユーザは一目でこの映像が表示されている機器が選択されていることを理解できる。
【００２７】
しかし、図３のような文字を映像としなくても、ただ映像が表示されるだけで、ユーザは選択されたアイコンがどの機器が選択されているかは容易に理解できる。そして、この選択されたアイコンに相当するノードにコントローラ機能を持つDVTRによって、ファイル転送が実行される。
【００２８】
＜第２の実施形態＞
第１の実施形態では、既存のAV機器が通常は入力プラグがブロードキャストチャンネルに設定されていることがほとんどなのでそのまま説明したが、そうでない場合について第２の実施形態として説明する。
【００２９】
図１のDTV３の入力プラグがチャンネルXに設定されていた場合、つまり図４でDTV３のiPCRのbccが１でchがXの場合、上記第１の実施形態で送信されているチャンネルXのIsochronousデータはDTV３で表示もされることになる。
【００３０】
そこで、本実施形態においては、DVTR１は、コントローラ機能のあるDVTR１は選択されていない自分以外全てのノード（本実施形態ではDTV３のみだが）のiPCRを調査し、chに設定されていないチャンネルをIRMから取得するようにし、取得したチャンネルとは異なるチャンネルを選択対象ノードとのコネクション確立に用いる。
【００３１】
以上のように、上記第１及び第２の実施形態によれば、ＩＥＥＥ１３９４規格に準拠したシリアルバスシステムにおいて、前記ネットワーク上に他のノードを表示する表示装置を持つ通信装置が前記表示装置上に他のノードを表示し、その表示されている中の他のノードを選択した際に、前記伝送装置と選択されたノードとの間でpoint to pointコネクションを確立し、選択されていることを示すアイソクロナス信号を伝送することによって、ユーザが容易に、かつ新たなる機能の実装なしに表示されているアイコンと接続されている機器との対応を確認することができる。
【００３２】
＜第３の実施形態＞
次に、本発明の第３の実施形態について説明する。
本実施形態においては、コントローラであるDVTR１は、選択されていることを示すIsochronousデータをブロードキャスト伝送すると同時に、選択されていない他のノードに対し、Isochronousデータを入力しないような制御を行う。その制御について図６を用いて説明する。
【００３３】
図６は図１に示される３つのノードの入力プラグコントロールレジスタiPCRと出力プラグコントロールレジスタoPCRである。またbccはブロードキャストコネクションカウンタ、pccはpoint to pointコネクションカウンタ、chはチャンネルである。
【００３４】
通常、各ノードはiPCRのbccが1に、pccが0、chが63になっておりブロードキャストの63チャンネルで送られてくるIsochronousデータを表示するようになっている。DVTR１がIsochronousデータのブロードキャスト伝送を行う場合、Isochronous Resouse Manager（IRM）から帯域とチャンネル６３を取得し、自分のoPCRのbccを１つ増やして１に、chを６３にする。そして、選択されていないノード、本実施形態の場合はDTV３のiPCRのbccをゼロにする。
【００３５】
上記のようにすることによってDVTR１から出力されたIsochronousデータはPC２の入力プラグを介して接続し、Isochronous伝送をこの２つのノード間で行うことができ、選択されているノード１のPC上には図３に示すようなIsochronousデータが表示され、他のノード、ここではノード２であるDTV３にはIsochronousデータが表示されないことになる。これにより、ユーザは一目でこの映像が表示されている機器が選択されていることを理解できる。
【００３６】
このように、本実施形態によれば、ＩＥＥＥ１３９４規格に準拠したシリアルバスシステムにおいて、前記ネットワーク上に他のノードを表示する表示装置を持つ通信装置が前記表示装置上に他のノードを表示し、その表示されている中の他のノードを選択した際に、選択されていることを示すIsochronousデータをブロードキャスト伝送し、選択されていないノードに対し、入力プラグのブロードキャストコネクションカウンタをゼロにするように制御することによって、選択されているノードのみに選択されていることを示す映像が表示され、ユーザが容易に、かつ新たなる機能の実装なしに表示されているアイコンと接続されている機器との対応を確認することができる。
【００３７】
＜第４の実施形態＞
次に、本発明の第４の実施形態について説明する。
上記第１、第３の実施形態の制御方式のどちらを用いても、選択されたノードであるPC２のみにIsochronousデータを表示することができるが、本実施形態においては、この２つの方式の切り替えを可能とする。
【００３８】
図１に示されるシステムではノード数が３つのため、選択されるノードはアイコンA、Bのどちらかであるが、ノード数が１０になった場合、選択されたアイコンが１つならば制御方式１では、point to pointコネクションを１回はる制御で済むのに対し、制御方式２では、選択されていない９つのノードに対し、bccの設定を９回行う必要がある。また、選択されたアイコンが９つ（９つのノードに対してファイルを転送する）の場合、制御方式１では、point to pointコネクションを９回はる制御が必要であるのに対し、制御方式２では、選択されていない１つのノードに対し、bccの設定を１回行うだけで動作が終了する。
【００３９】
そこで、ノード数に対し、選択されたアイコンの数が半数以下の場合には、制御方式１を、それより多い場合には制御方式２を用いるようにする。このフローチャートを図７に示す。先ず、DVTR１は、ユーザの操作によりアイコンが選択されたか否かを判断し（ステップＳ７０１）、ノードが選択された場合は、選択されたアイコン数が全体のアイコン数の半数以下であるか否かを判断する（ステップＳ７０２）。ここで、図中、半数以下というのを（全体のアイコン数/選択されたアイコン数＞２）で表している。DVTR１は、選択されたアイコン数が半数以下であれば、通信制御方式を制御方式２に切り替え（ステップＳ７０３）、選択されたアイコン数が半数より多ければ、通信制御方式を制御方式１に切り替える（ステップＳ７０４）。もちろん、この割合は２つの制御方式にかかる負担が同等の場合であり、システムによって選択アイコン数と全体のアイコン数との割合が変わる。
【００４０】
このように、本実施形態によれば、ＩＥＥＥ１３９４規格に準拠したシリアルバスシステムにおいて、前記ネットワーク上に他のノードを表示する表示装置を持つ通信装置が前記表示装置上に他のノードを表示し、その表示されている中の他のノードを選択した際に、前記伝送装置と選択されたノードとの間でpoint to pointコネクションを確立し、選択されていることを示すIsochronousデータを伝送する制御方式１と、前記選択されていることを示すIsochronousデータをブロードキャスト伝送し、前記選択されていないノードに対し、入力プラグのブロードキャストコネクションカウンタをゼロにするようにする制御２を前記選択されたノード数と前記選択されていないノード数の割合に応じて切り替えることを可能とする。
【００４１】
従って、選択されているノードのみに選択されていることを示す映像が表示され、ユーザが容易に、かつ新たなる機能の実装なしに表示されているアイコンと接続されている機器との対応を確認することができるとともに、より制御対象の数を少ない数に最適化することができ、制御時間を短く、消費電力を少なくするなどシステムの効率化を図ることができる。
【００４２】
＜第５の実施形態＞
上記実施形態ではアイコンが選択されたときにIsochronousデータを送信しているが、本発明の第５の実施形態として、ファイル転送の始めと終わりに図５のような別の内容のIsochronousデータを上記と同じ手法で送り、ファイル転送中はバスを開放して転送効率を上げながらユーザに親切な説明を送るようにすることも可能である。
【００４３】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００４４】
この場合、記憶媒体から読み出されたプログラムコード自体が前述した実施形態の機能を実現することになり、プログラムコード自体及びそのプログラムコードを記憶した記憶媒体は本発明を構成することになる。
【００４５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４６】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００４７】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００４８】
【図１】本発明の一実施形態に係るデジタルバスシステムの構成を示した図である。
【図２】ＤＶＴＲの表示パネル上における画面表示例を示した図である。
【図３】Isochronousデータに基づく映像表示例を示した図である。
【図４】入力プラグコントロールレジスタと出力プラグコントロールレジスタの一例を示した図である。
【図５】Isochronousデータに基づく映像表示例を示した図である。
【図６】入力プラグコントロールレジスタと出力プラグコントロールレジスタの一例を示した図である。
【図７】本発明の第４の実施形態に係るDVTR１の動作の流れを示したフローチャートである。
【符号の説明】
【００４９】
１  ＤＶＴＲ
２  ＰＣ
３  ＤＴＶ
４  １３９４ケーブル
５  表示パネル
【図１】
2005354638.tif 000003
【図２】
2005354638.tif 000004
【図３】
2005354638.tif 000005
【図４】
2005354638.tif 000006
【図５】
2005354638.tif 000007
【図６】
2005354638.tif 000008
【図７】
2005354638.tif 000009